(57)【要約】【課題】ライトペンで情報端末の表示パネルや入力用パネルに情報を入力する際に、発光部の発光した光の入力チップの側部における眩しさがなく、かつ情報端末の表示パネルや入力用パネルの表面を入力チップで傷付けることのないライトペンを得る。【解決手段】ペン本体８の先端部に、光を透過する材質で形成した透明状の内部材３の外表面に、内部材３の硬度より低い硬度の材質で形成した不透明または半透明状の外部材４を被覆する。外部材４の先端が内部材３の先端より軸心方向の前方に突出し、外部材４の先端に内部材３の先端まで連通した光通路孔５を設ける。内部材３の後端部３ｂには、発光ダイオードからなる発光部６の先端部を挿入可能な発光部収容室７を形成する。【選択図】図１
2011003108.tif 000002
【特許請求の範囲】
【請求項１】
ペン本体の先端部に、入力チップと、該入力チップに向けて発光する発光部を配したライトペンにおいて、前記入力チップを、光を透過する材質で形成した透明状の内部材の外表面に、内部材の硬度より低い硬度の材質で形成した不透明または半透明状の外部材を被覆し、外部材の先端が内部材の先端より軸心方向の前方に突出し、外部材の先端に内部材の先端まで連通した光通路孔を設けたことを特徴とするライトペン。
【発明の詳細な説明】
【技術分野】
【０００１】
本発明は、情報端末の表示パネルや入力用パネルに情報を入力するためのライトペンに関する。
【背景技術】
【０００２】
情報端末の表示パネルや入力用パネルに情報を入力するための、ペン本体の先端部に、入力チップと、該入力チップに向けて発光する発光部を配し、電源のスイッチをオンにすることにより、または、筆圧により入力チップが後退することで電源に接続された回路がオン状態となって入力チップ内に配した発光部が発光して入力チップから光が照射されるライトペンについては、従来より知られている。
【０００３】
ところで、前記ライトペンにおいては、入力チップから光が照射されることが重要な要件となり、従来、入力チップは光の透過性が良い材質を選択して使用していた。そのために、発光部の発光した光が入力チップの側部を介して目に入り、眩しいという問題があった。最近では、情報端末の表示パネルや入力用パネルに情報を正確に入力できるように、周りの明るさが妨げとならないような発光部の発光の輝度がより高いものが望まれてきており、入力チップの側部からの光が、より眩しくなるという問題がある。
【０００４】
ライトペンにおいては、入力チップ周りに文字等を読む際の照明としての役目も兼ね備えているが、読むときにおける眩しさの問題を解消するものとして、特開平１０−１２４２３１号により開示された技術がある。この技術は、読むときは照射領域を広くするようにペン先を寝かせる姿態で使用するため、できる限り発光部の発光が直接目に入らないように、ペン先（入力チップ）の周囲の一部を覆う形に形成された遮光体をライトペンに装着するというものである。
【０００５】
しかし、前記遮光体をペン軸筒に固着したものであっても、、前記技術では、ペン先（入力チップ）の周囲の覆われていない側部から光が目に入り、情報端末の表示パネルや入力用パネルに情報を入力する際の眩しさの問題は解消できない。
【０００６】
また従来、入力チップにおいては、入力チップは光の透過性が良い材質、例えばアクリル樹脂、ポリカーボネート樹脂、ＡＢＳ樹脂等で形成しているのが一般的であるが、こうした材質で入力チップとして形成した場合には、材質としての摩擦抵抗が比較的高いために入力チップの先端が筆記により磨耗したり、また光の透過性の良い材質は硬質であるものが多く、チップ先端が割れたり、情報端末の表示パネルや入力用パネルを傷付けてしまうという問題があった。筆記性の良い材質のものとして、ポリアセタール樹脂やポリエチレン樹脂があるが、光の透過性が悪い。
【先行技術文献】
【特許文献】
【０００７】
【特許文献１】特開平１０−１２４２３１号公報
【発明の概要】
【発明が解決しようとする課題】
【０００８】
本発明が解決しようとする課題は、ライトペンで報端末の表示パネルや入力用パネルに情報を入力する際に、発光部の発光した光の入力チップの側部における眩しさがなく、かつ情報端末の表示パネルや入力用パネルの表面を入力チップで傷付けることのないライトペンを得ることにある。
【課題を解決するための手段】
【０００９】
本発明は、
「ペン本体の先端部に、入力チップと、該入力チップに向けて発光する発光部を配したライトペンにおいて、前記入力チップを、光を透過する材質で形成した透明状の内部材の外表面に、内部材の硬度より低い硬度の材質で形成した不透明または半透明状の外部材を被覆し、外部材の先端が内部材の先端より軸心方向の前方に突出し、外部材の先端に内部材の先端まで連通した光通路孔を設けたことを特徴とするライトペン。」
である。
【００１０】
本発明における入力チップを構成する内部材の材質については、光の透過性が良い材料であれば良く、特に限定はされない。例えば、アクリル樹脂、ポリカーボネート樹脂、ＡＢＳ樹脂、ガラス、石英等を挙げることができる。
【００１１】
入力チップを構成する外部材は、内部材の硬度より低い硬度の材質で有れば良く、特に限定はされないが、情報端末の表示パネルや入力用パネルに情報を入力する際に、容易に摩耗したりせず、前記パネルの表面を傷付け難い硬さであることが重要であり、前記パネルの材質との兼ね合いを考慮して適宜決定する必要がある。硬度が比較的低く、摩擦抵抗が比較的低いものとして、例えば、ポリアセタール樹脂、ポリエチレン樹脂等を挙げることができ、内部材の硬度より低い硬度のものを選定して使用すれば良い。樹脂の硬度の測定においては、ロックウエル硬度計等を用いて測定すれば良い。
【００１２】
前記光通路孔は、発光部の光で内部材の先端より照射された光を、入力チップの先端からすなわち外部材の先端から光が照射するようにするために設けるもので、外部材を不透明または半透明状に形成する本発明においては、重要な構成要件である。
【００１３】
本発明のライトペンは、発光部の光が入力チップの側部を透過しないまたは透過しても輝度が低下するので、文字等を読む際の照明としての役目においては、広範囲を明るくするという点での性能は失うかまたは低下するが、入力チップ先端からは光が照射されるので狭い範囲での照明効果は有している。
【発明の効果】
【００１４】
本発明のライトペンは前記したような構造なので、ライトペンで情報端末の表示パネルや入力用パネルに情報を入力する際に、発光部の光が入力チップの側部を透過しないまたは透過しても輝度が低下しているので、入力チップの先端を目に向けない限り入力チップが眩しいということがなく、かつ、情報端末の表示パネルや入力用パネルの表面を入力チップで傷付ける危険性を低減できるというライトペンを得ることができた。
【図面の簡単な説明】
【００１５】
【図１】本発明のライトペンにおける入力チップの実施例を示す、入力チップの縦断面図である。
【図２】本発明のライトペンの実施例を示す、ライトペンの要部を断面した縦断面図である。
【発明を実施するための最良の形態】
【００１６】
本発明は、入力チップの内部材を光の透過性の良い樹脂で透明状に形成し、内部材の外表面に、内部材の硬度より低い樹脂で不透明状に形成した外部材で、内部材の外表面を被覆し、内部材の後端部に発光部としての発光ダイオードの一部を挿入可能な発光部収容室を設けて、入力チップを形成する。
【実施例】
【００１７】
本発明のライトペンの実施例を図面を用いて説明するが、本発明は実施例に限定されるものではない。本実施例のライトペン１の入力チップ２は、図１に示すように、先端に突出した尖端部３ａを有する内部材３をアクリル樹脂で透明状に形成し、ポリアセタール樹脂で不透明状に形成した外部材４で、内部材３の外表面を被覆して設けてある。尖端部３ａの外表面も外部材４で被覆してあり、外部材４の先端を内部材３の先端より軸心方向の前方（図１において左側）に突出させて設けてある。外部材４の先端部４ａには、内部材３の先端まで連通した光通路孔５を設けてあり、内部材３の後端部３ｂには、発光ダイオードからなる発光部６の先端部を挿入可能な発光部収容室７を形成してある。
【００１８】
本実施例のライトペン１は、両端を開口した前軸部８ａと後軸部８ｂを螺着して設けた、導電性材で形成したペン本体８は、前軸部８ａの先端に先窄み状に形成した先口部９を螺着してある。先口部９内には、入力チップ２の一部を先口部９の先端開口部１０より外方に突出させて入力チップ２を前後方向（図２において左右方向）に摺動可能に挿入してある。入力チップ２の後方（図２において右側）には、絶縁材で形成した円筒状の保持部材１１を、入力チップ２の後退に連動して後退可能に入力チップ２の後端に当接させて前軸部８ａ内を摺動可能に配してある。保持部材１１の先端部には発光ダイオードからなる発光部６を装着してあり、発光部６の先端部を入力チップ２の内部材３の発光部収容室７に収容してある。
【００１９】
保持部材１１の側部には、入力チップ２と反対側の後側壁面１２を軸径方向において外側に向うに従って漸次入力チップ２より離間する方向に傾斜した傾斜面１３とした、貫通したスライド用孔１４と、ペン本体８の前軸部８ａの内壁面に開口して貫通した端子用孔１５を設けてある。前記スライド用孔１４に対向したペン本体８の前軸部８ａの側部には、内外を貫通した係止孔１６を、スライド用孔１４に対して軸心方向においてペン本体８の後軸部８ｂ側に若干寄った位置に設けてある。スライド用孔１４と係止孔１６に、前記傾斜面１３に沿って摺動可能な前記傾斜面１３と同じ方向に傾斜した当接部１７を有し、一部をペン本体８の前軸部８ａの外表面より外方に突出させ、突出した一部を押圧することで保持部材１１を後退させる釦スイッチ部材１８を挿着してある。該釦スイッチ部材１８は、スライド用孔１４に対して係止孔１６の位置が軸心方向においてずれた位置に設けてあるので、係止孔１６の入力チップ２側の前側壁面１６ａとスライド用孔１４の傾斜面１３とで支持され、釦スイッチ部材１８は押圧されない限りスライド用孔１４に没入しないようにしてある。
【００２０】
ペン本体８の前軸部８ａはペンライト１を把持する際の把持部となり、前軸部８ａにシリコンラバー等で形成したグリップ部材１９を装着して、前記釦スイッチ部材１８を被覆してある。
【００２１】
発光部６の端子６ａ、６ｂには平板状の接続端子２０、２１を接続してあり、一方の接続端子２０は、円筒状の保持部材１１の空間部１１ａを通って保持部材１１の後端面１１ｂより後方に突出し、先端部を直角に折曲げて当接先端部２２としてある。他方の接続端子２１は、前記保持部材１１に設けた端子用孔１５に対向した位置で折曲げて端子用孔１５に挿通し、先端を入力チップ２と反対側の後方に向けて折曲げて摺動先端部２３としてあり、ペン本体８の前軸部８ａの内壁面に当接して軸心方向の前後に摺動可能としてある。発光部６の他方の端子６ｂは、導電性のペン本体８に常時電気的に接続していることになる。
【００２２】
保持部材１１の後方のペン本体８の前軸部８ａ内には、両端を開口した絶縁材料で形成した固定部材２４を、前軸部８ａの後端開口部８ａａより圧入し、固定部材２４の後端に形成したフランジ部２５を前軸部８ａの後端の端面に当接して固定してある。
【００２３】
固定部材２４内には、小径の先端部２６ａと該先端部２６ａより大径の中間部２６ｂと該中間部２６ｂより大径の後端部２６ｃとで構成した導電性材で形成したスイッチ体２６を、先端部２６ａを固定部材２４より前方に突出させて遊嵌してある。スイッチ体２６が固定部材２４の先端から抜け出さないように、後端部２６ｃの先端を固定部２４に形成した段部２７に当接させて設けてあり、また、スイッチ体２６が固定部材２４の後端から抜け出さないように、スイッチ体２６の後方には、両端を開口した栓部材２８を固定部材２４に螺着して設けてある。
【００２４】
栓部材２８内には、摺動可能にかつ栓部材２８の後端の開口部２８ａから抜け出さないように開口部２８ａより大径に形成した抜け防止部２９ａを有した、導電性材で形成した電源部接続端子２９を配してある。前記スイッチ体２６と電源部接続端子２９には、導電性のスプリング３０を張架してある。また、固定部材２４と前記保持部材１１にもスプリング３１を張架してあり、保持部材１１および入力チップ２を前側に付勢してある。
【００２５】
固定部材２４の後端には、電池からなる電源部３２を連接して配してあり、前記電源部接続端子２９を電源部３２の一方の電極３３に接続してある。
【００２６】
ペン本体８の後軸部８ｂの後端部には、筆記具の繰出機構で知られている、カム溝３４、固定カム３６やノック体３５とで構成された「ノック式」と呼ばれている繰出機構を設けてある。回転カム３７の前方には、ペン本体８の後軸部８ｂの内壁面に当接するフランジ部３８を有した導電性材で形成した棒状のメインスイッチ体３９を、フランジ部３８を回転カム３７の先端に当接し、フランジ部３８より後端部３９ａを回転カム３７内に挿入して設けてある。メインスイッチ体３９は、ノック体の３５への押圧操作により、回転カム３７に連動して前進して、電源部３２の他方の電極４０に当接可能に設けてある。
【００２７】
ペン本体８の後軸部８ｂには、筆記具におけるクリップと同様のクリップ４１を設けてある。
【００２８】
本実施例のライトペン１における発光部６が発光するための操作について説明すると、先ず、ノック体３５を押圧して、回転カム３７およびメインスイッチ体３９を前進させ、メインスイッチ体３９の先端を電源部３２の他方の電極４０に当接させる。回転カム３７およびメインスイッチ体３９は、回転カム３７のカム溝３４との作用により、前進した位置に保持される。
【００２９】
前記状態において、入力用パネル（図示せず）に情報を入力する際の筆圧による入力チップ２の後退により、または釦スイッチ部材１８をグリップ部材１９を介してペン本体８の内方に押圧することで、発光部６を保持した保持部材１１が後退し、発光部６の端子６ａに接続した一方の接続端子２０の当接先端部２２がスイッチ体２６の先端に当接し、発光部６の端子６ａ、一方の接続端子２０、スイッチ体２６、スプリング３０、電源部接続端子２９、電源部３２の一方の電極３３、電源部３２の他方の電極４０、メインスイッチ体３９、ペン本体８の後軸部８ｂ、前軸部８ａ、他方の接続端子２１、発光部６の端子６ｂが電気的に導通し、発光部６が発光し、内部材３を透過した光が内部材３の尖端部３ａの先端から照射された光が、外部材４の光通路孔５を直進して外方に照射される。前記入力チップ２への筆圧や釦スイッチ部材１８への押圧を解除すると、保持部材１１と固定部材２４とに張架したスプリング３１により保持部材１１を前進させ、発光部６の端子６ａに接続した一方の接続端子２０の当接先端部２２がスイッチ体２６から離れ、発光部６は消灯する。
【産業上の利用可能性】
【００３０】
情報端末の表示パネルや入力用パネルに情報を入力するためのライトペンのみならず、バーコードペンや先端に照明部材を備えた筆記具等の先端から光を照射するものにおいて、発光部の発光した光の入力チップの側部における眩しさがなく、かつ筆記面を傷付けたくない場合に適用できる。
【符号の説明】
【００３１】
１  ライトペン
２  入力チップ
３  内部材
４  外部材
６  発光部
【図１】
2011003108.tif 000003
【図２】
2011003108.tif 000004